(57)【特許請求の範囲】
【請求項１】
モノシートタイプのインスタントフイルムを複数枚積層して収納するための箱型形状をしたプラスチック製のインスタントフイルム用パックケースであって、その上面壁には最上層のインスタントフイルムに露光を与えるための矩形状の露光開口が形成され、底面壁の内面には収納されたインスタントフイルムを前記上面に向けて押圧する金属製の圧板が組み込まれ、側面壁の一つには前記露光開口の一辺と平行に露光済みのインスタントフイルムを排出するためのスリット状の排出口が形成されたインスタントフイルム用パックケースにおいて、
前記上面壁の表面、又は内面の少なくともいずれかに、前記排出口と直交する方向に延びた前記露光開口の２辺に沿って、前記上面壁を破断するための溝を形成し、前記底面壁の内面には圧板の取り付け穴に挿通した後に熱カシメされるピンと補強用の突条とが一体に形成されるとともに、圧板には棒状の治具を挿通する開口が設けられ、この開口を挿通した治具の先端を前記突条に引っ掛けて梃の支点として治具を倒し操作することによって、熱カシメされたピンを破断して圧板を底面壁から分離できるようにしたことを特徴とするインスタントフイルム用パックケース。
【請求項２】
前記上面壁には、前記溝の各々の一端から排出口側に向かって延びた長穴が形成されていることを特徴とする請求項１記載のインスタントフイルム用パックケース。
【発明の詳細な説明】
【０００１】
【発明の属する技術分野】
本発明は、インスタントフイルムが収納されるインスタントフイルム用パックケースに関し、更に詳しくは、パックケースから圧板を容易に取り出すことができるようにしたインスタントフイルム用パックケースに関するものである。
【０００２】
【従来の技術】
撮影後直ちに現像処理された画像記録シートを得ることのできるインスタントカメラは、学術分野での記録や、迅速性、秘匿性を要する現場撮影などに広く用いられている。このようなインスタントカメラは、ハードプラスチックで成形されたインスタントフイルムパックを装填して使用するものが一般的である。
【０００３】
このインスタントフイルムパックは、従来、モノシートタイプの自己現像処理型インスタントフイルムが複数枚重ねられて収納されており、その構造はインスタントフイルムを収納するための樹脂製のケース本体の他に、露光をインスタントフイルム面に与えるための露光開口，露光後のインスタントフイルムを排出するための排出口，インスタントフイルムを露光開口の背面に当接するように押圧する板状の圧板などからなっている。
【０００４】
これらインスタントフイルムパックを構成している部品の内、前記圧板は通常、平板状の金属板をプレス加工することにより形成されている。このため、インスタントフイルムの撮影が全数完了し、前記パックケースからインスタントフイルムが全数排出された後は、廃棄物の分別回収の一般化に従って、樹脂製のパックケースから金属製の圧板を取り出し、分別して廃棄する必要がある。
【０００５】
【発明が解決しようとする課題】
しかしながら、前記圧板はインスタントフイルムが全数排出された後にパックケースから飛び出すことがないように、通常、圧板の端部をパックケースの背面に固定するとともに、露光開口よりも圧板の方が大きくなるように形成されている。このため、インスタントフイルムの撮影が全数完了した後、パックケースから金属製の圧板を取り出す際には、パックケースの一部をペンチ等でこじ開けたり、ハンマーでパックケースの一部を叩き割ったりしなければならず、非常に手間が掛かると言う問題があった。また、分離作業時に怪我をする可能性も高い。
【０００６】
本発明は、上記の事情を考慮してなされたもので、インスタントフイルムがパックケースから全数排出された後に、パックケースから圧板を容易に分離して取り出せるようにしたインスタントフイルム用パックケースを提供することを目的とする。
【０００７】
【課題を解決するための手段】
上記目的を達成するために、本発明のインスタントフイルムパックは、プラスチック製のインスタントフイルム用パックケースの上面壁の表面、又は内面の少なくともいずれかに、露光済みのインスタントフイルムを排出するための排出口と直交する方向に延びた露光開口の２辺に沿って、上面壁を破断するための溝を形成し、底面壁の内面に圧板の取り付け穴に挿通した後に熱カシメされるピンと補強用の突条とを一体に形成するとともに、圧板に棒状の治具を挿通する開口を設け、この開口を挿通した治具の先端を突条に引っ掛けて梃の支点として治具を倒し操作することによって、熱カシメされたピンを破断して圧板を底面壁から分離できるようにしたものである。
【０００８】
請求項２においては、前記上面壁に前記溝の各々の一端から排出口側に向かって延びた長穴を形成したものである。
【０００９】
【発明の実施の形態】
以下、本発明の実施形態を図面を参照して説明する。図１は、本発明を実施したインスタントフイルム用パックケースを示す分解斜視図である。インスタントカメラに内蔵されるインスタントフイルムパック２は、背板５，ケース本体６、及び圧板７からなるパックケース３と、これに内蔵される複数枚のインスタントフイルム４とから構成されている。
【００１０】
パックケース３は、黒色の遮光性の熱可塑性樹脂、或いはパルプ等の比較的硬質の材料で成形されたもので、パックケース３の上面壁及び側面壁を形成するケース本体６の開放面を、パックケース３の底面壁を形成する背板５が覆うように結合し、パックケース３を構成している。ケース本体６の上面壁にはインスタントフイルム４の露光開口８、及び撮影済みのインスタントフイルム４が排出されるスリット状の排出口１１が設けられている。また、角部には、撮影済みのインスタントフイルム４を押し出すために、カメラ側に設けられたクロー（図示せず）が挿入される排出溝１２が設けられている。
【００１１】
排出口１１の露光開口８側には、スチール製のクリップ１３が取りつけられている。そして、このクリップ１３の両方の外側には、パックケース３の側面に沿うように長穴１４ａ〜１４ｄが設けられている。また、図２に示すように、ケース本体６内面の長穴１４ａ〜１４ｄの延長線上には、パックケース３の側面に沿うように各々切り取り溝１５ａ，１５ｂが設けられている。
【００１２】
パックケース３の底面壁を構成している背板５の内面には、２つのピン１６ａ，１６ｂが一体に突設されている。ピン１６ａ，１６ｂは、後述する圧板７の取り付け穴１７ａ，１７ｂに各々貫入したのち、頭部がカシメられる。このピン１６ａ，１６ｂは、従来のパックケースにおいては図７（Ａ）に示すように、ピンの径が３．８ｍｍ  高さが２．０ｍｍ  になっていたが、本発明のパックケース３では図７（Ｂ）に示すように、ピンの径が２．５ｍｍ  高さが２．５ｍｍ  に形成されている。また、背板５の内面中央付近には、突条１８が一体に突設されている。
【００１３】
圧板７は、弾性のある金属板で形成されており、背板５に当接する４本の脚部のうち２本に、背板５のピン１６ａ，１６ｂと係合するための取り付け穴１７ａ，１７ｂが設けられている。この取り付け穴は、従来のパックケースにおいてはその径が３．９ｍｍ  になっていたが、本発明のパックケース３での取り付け穴の径は、２．７ｍｍ  に形成されている。また、圧板７の中央付近には、直径が１０ｍｍ程度の開口１９が設けられている。この開口１９は、背板５の突条１８とともに、圧板７をパックケース３から取り外す時に用いられる。
【００１４】
このような構成のインスタントフイルム用パックケースの作用について説明する。図３，４は、本発明のインスタントフイルムパックの使用後に、パックケースから圧板を取り外す時の様子を示す説明図である。インスタントフイルムパック２に収納されている全てのインスタントフイルム４の撮影が完了し、すべてのインスタントフイルム４が排出口１１から排出されると、圧板７を内蔵したパックケース３が廃棄物として残る。そして、廃棄の際には樹脂製のパックケース３から金属製の圧板７を分別する。
【００１５】
パックケース３の圧板７の分別の際には、まず、図３（Ａ）のように、ケース本体６の排出口１１側のクリップ１３を強く内側に押圧する。すると、このクリップ１３の両方の外側に設けられている長穴１４ａ〜１４ｄにより、クリップ１３部分は容易にパックケース３の内側に折れ込む。
【００１６】
次に、図３（Ｂ）のように、長穴１４ａ〜１４ｄ部分が切断されパックケース３の内側に折れ込んだクリップ１３をつまみ、強く上方に引き上げる。すると今度は長穴１４ａ〜１４ｄの延長線上に設けられている切り取り溝１５ａ，１５ｂに沿って、露光開口８の周縁部が一定幅だけ切り取られる。
【００１７】
クリップ１３を上方に引き上げ、露光開口８の両側面を一定幅だけ切り取り、圧板７の取り出しが可能なサイズの開口を形成した後、今度はドライバー等の箆状の治具を準備する。図４（Ａ）のように、治具２０を圧板７の開口１９に差し込み、その先端を背板５の最も排出口１１寄りの突条１８に引っ掛ける。そして、この治具２０を梃にして、圧板７を背板５から動かすと、圧板７の取り付け穴１７ａ，１７ｂは、背板５のピン１６ａ，１６ｂを破断する。これにより、圧板７は容易に背板５との係合が解除される。
【００１８】
そして、既に露光開口８の両側面は一定幅だけ切り取られ圧板７の取り出しが可能なサイズの開口を形成されているので、ここから圧板７を取り出せば、図４（Ｂ）に示すように、極めて容易に、且つ安全に樹脂製のパックケース３と金属製の圧板７とを分別することができる。
【００１９】
なお、露光開口の角部のうち、排出口よりの２つの角を円弧状に形成することにより、一層スムーズに露光開口の２辺に沿って上面壁の破断が行われるようにしてもよい。また、上記実施の形態では、取り付け穴、開口、及びピンのサイズを挙げているが、もちろん、これら各部のサイズは、記載された数値に限定されるものではない。
【００２０】
上述した実施形態以外にも、例えば、図５に示すように、圧板３０の取り付け穴３１ａ，３１ｂを、一端が切れているＵ字状にし、背板３２のピン３３ａ，３３ｂに差し込むように係合させると、背板３２から圧板３０を取り外す際に、さらに軽い力で背板３２と圧板３０との係合を解除することが可能となる。
【００２１】
また、図５（Ａ）に示すように、圧板４０の取り付け穴４１と係合する背板４２のピン４３の反対側に凹部４４を設ければ、圧板４０を背板４２から取り外す際に、図５（Ｂ）に示すように、この凹部４４を治具等で押圧するだけでピン４３が背板４２から切断され、圧板４０を背板４２から容易に分離することができる。
【００２２】
【発明の効果】
以上のように、本発明のインスタントフイルム用パックケースによれば、プラスチック製のインスタントフイルム用パックケースの上面壁の表面、又は内面の少なくともいずれかに、露光済みのインスタントフイルムを排出するための排出口と直交する方向に延びた露光開口の２辺に沿って、上面壁を破断するための溝を形成し、底面壁の内面に圧板の取り付け穴に挿通した後に熱カシメされるピンと補強用の突条とを一体に形成するとともに、圧板に棒状の治具を挿通する開口を設け、この開口を挿通した治具の先端を突条に引っ掛けて梃の支点として治具を倒し操作することによって、熱カシメされたピンを破断して圧板を底面壁から分離できるようにしたので、インスタントフイルムがパックケースから全数排出された後に、パックケースから圧板を容易に分離して取り出せるようにしたインスタントフイルム用パックケースを提供することができる。
【図面の簡単な説明】
【図１】本発明を実施したインスタントフイルム用パックケースの分解斜視図である。
【図２】図１のインスタントフイルム用パックケースの排出口付近の斜視図である。
【図３】本発明のインスタントフイルム用パックケースにおいて、パックケースから圧板を分離する際の手順を示す説明図の前半である。
【図４】本発明のインスタントフイルム用パックケースにおいて、パックケースから圧板を分離する際の手順を示す説明図の後半である。
【図５】本発明のインスタントフイルム用パックケースの第２の実施形態である。
【図６】本発明のインスタントフイルム用パックケースの第３の実施形態である。
【図７】従来の圧板と本発明の圧板について、そのピンのサイズを示した説明図である。
【符号の説明】
２  インスタントフイルムパック
３  パックケース
７  圧板
８  露光開口
１１  排出口
１３  クリップ
１４ａ〜１４ｄ  長穴
１５ａ，１５ｂ  切り取り溝
１６ａ，１６ｂ  ピン
１７ａ，１７ｂ  取り付け穴
１８  突条
１９  開口
２０  治具
【図１】
0003595616.tif 000002
【図２】
0003595616.tif 000003
【図３】
0003595616.tif 000004
【図４】
0003595616.tif 000005
【図５】
0003595616.tif 000006
【図６】
0003595616.tif 000007
【図７】
0003595616.tif 000008